(57)【特許請求の範囲】
【請求項１】
直接拡散または逆拡散に用いられる被試験対象を試験する直接拡散試験装置において、
前記被試験対象に試験信号を出力する信号発生部と、
前記被試験対象の出力が入力され測定する測定部と、
タイミング同期用信号を発生するタイミング同期用信号発生器と、
拡散符号を発生する拡散符号発生器と、
前記タイミング同期用信号発生器が発生するタイミング同期用信号と前記拡散符号発生器が発生する拡散符号とを切り換えて、前記信号発生部または前記被試験対象に出力する切換部と、
この切換部からの信号を遅延し、前記測定部または前記被試験対象に与える可変遅延回路と
を有することを特徴とする直接拡散試験装置。
【請求項２】
タイミング同期用信号は、直接拡散が行われない信号であることを特徴とする請求項１記載の直接拡散試験装置。
【発明の詳細な説明】
【０００１】
【発明の属する技術分野】
本発明は、直接拡散または逆拡散に用いられる被試験対象、例えば、ＩＣ，ＬＳＩ等を試験する直接拡散試験装置に関し、短時間に試験を行うことができる直接拡散試験装置に関するものである。
【０００２】
【従来の技術】
直接拡散伝送方式は、送信側と受信側とが同じ拡散符号を用いてスペクトラム拡散及びスペクトラム逆拡散を行うことにより、通信を行うものである。すなわち、送信側で送信データ系列を疑似ランダム符号である拡散系列でスペクトラム拡散して送信する。一方、受信側では送信側と同じ拡散系列を用いてスペクトラム逆拡散を行うことにより、伝送された送信データ系列の復調を可能とし、送信側、受信側との通信を可能とする。このようなスペクトラム拡散通信装置の原理構成を図２に示し説明する。
【０００３】
図２において、ベースバンド発振器１は、情報に基づいて、ベースバンド信号を出力する。ＰＮ（Pseudo Noise：疑似雑音）発生器２は拡散符号発生器で、拡散符号を発生する。拡散変調器３は、ベースバンド発生器１のベースバンド信号が入力され、ＰＮ発生器２の拡散符号と掛け合わされることにより、拡散変調を行う。周波数変換器４は、拡散変調器３の出力を局部発振器５の周波数により周波数変換され、高周波信号にされる。以上により送信側を構成する。
【０００４】
復調器６は、周波数変換器４の高周波信号を局部発振器７の信号により復調されて中間周波数に変換される。ＰＮ発生器８は、同期検出して、ＰＮ発生器２と同じ拡散符号を発生する。ここで、同期検出の構成は各種あるため省略する。拡散復調器９は、復調器６からの信号が入力され、ＰＮ発生器２の拡散符号により逆拡散される。ベースバンド復調部１０は、拡散復調器９の出力が入力され、ベースバンド信号を復調し、情報を得る。以上により受信側を構成する。
【０００５】
このような装置の動作を以下に説明する。ベースバンド発振器１がベースバンド信号を出力し、拡散変調器３が、ＰＮ発振器２の拡散符号により拡散変調を行う。この拡散変調された信号を、周波数変換器４が、局部発振器５の信号により高周波信号にする。この高周波信号を図示しない送信アンテナにより、送信される。
【０００６】
図示しない受信アンテナにより、受信された信号は、復調器６で、局部発振器７の信号により復調され、中間周波数に変換される。この変換された信号を、拡散復調器９は、ＰＮ発生器８が出力する拡散符号により逆拡散を行う。この逆拡散された信号を、ベースバンド復調器１０は復調する。
【０００７】
【発明が解決しようとする課題】
このような装置の一部分、例えば、周波数変換器４、局部発振器５が被試験対象とされた場合、残りの部分を試験装置とすれば、被試験対象の試験を行うことができる。
【０００８】
そして、拡散符号は、比較的長大な周期をもってほぼランダムなビット列であり、拡散復調器９において、変調信号に乗っている送信側の拡散符号と、ＰＮ発生器８の拡散符号とが、時間的、周期的に完全に一致した場合のみ、正常な復調が可能となる。これを同期がとれた（同期捕捉）という。
【０００９】
拡散符号は、長大な周期であるため、全く同期の取れていない状態から短時間に同期状態にもっていくために、いくつかの同期捕捉方法が考えられているが、いずれも捕捉時間をゼロにすることはできなっかた。このため、高速の試験が要求される試験装置（ＩＣテスタ）にとってスループットの低下を招いてしまった。
【００１０】
そこで、本発明の目的は、試験時間を短縮できる直接拡散試験装置を実現することにある。
【００１１】
【課題を解決するための手段】
請求項１記載の本発明は、
直接拡散または逆拡散に用いられる被試験対象を試験する直接拡散試験装置において、
前記被試験対象に試験信号を出力する信号発生部と、
前記被試験対象の出力が入力され測定する測定部と、
タイミング同期用信号を発生するタイミング同期用信号発生器と、
拡散符号を発生する拡散符号発生器と、
前記タイミング同期用信号発生器が発生するタイミング同期用信号と前記拡散符号発生器が発生する拡散符号とを切り換えて、前記信号発生部または前記被試験対象に出力する切換部と、
この切換部からの信号を遅延し、前記測定部または前記被試験対象に与える可変遅延回路と
を有することを特徴とするものである。
【００１２】
請求項２記載の本発明は、請求項１記載の本発明において、
タイミング同期用信号は、直接拡散が行われない信号であることを特徴とするものである。
【００１３】
【発明の実施の形態】
以下図面を用いて本発明の実施の形態を説明する。図１は本発明の一実施例を示した構成図である。
【００１４】
図１において、被試験対象２０は、周波数変換器２１、局部発振器２２からなる。周波数発振器２１は、入力信号を局部発振器２２の周波数により周波数変換し、高周波信号にする。
【００１５】
信号発生部３０は、被試験対象２０に試験信号を出力し、ベースバンド発振器３１、拡散変調器３２からなる。ベースバンド発振器３１は、情報に基づいて、ベースバンド信号を発生する。拡散変調器３２は、ベースバンド発生器３１のベースバンド信号が入力され、拡散符号と掛け合わされることにより、拡散変調を行い、被試験対象２０（周波数変換器２１）に出力する。
【００１６】
測定部４０は、被試験対象２０の出力が入力され測定し、復調器４１、局部発振器４２、拡散復調器４３、ベースバンド復調部４４からなる。復調器４１は、被試験対象２０（周波数変換器２１）の出力を局部発振器４２の信号により復調されて中間周波数に変換される。拡散復調器４３は、復調器４１からの信号が入力され、拡散符号により逆拡散する。ベースバンド復調部４４は、拡散復調器４３の出力が入力され、ベースバンド信号を復調し、情報を得る。
【００１７】
タイミング同期用信号発生器５０は、タイミング同期用信号を発生する。ここで、タイミング同期用信号は、比較的低い周波数で、タイミングがとりやすい単調なパターンである直接拡散が行われない信号で、例えば、０，１，０，１，０，１，・・・である。ＰＮ発生器６０は拡散符号を発生する。
【００１８】
切換部７０は、タイミング同期用信号発生器５０が発生するタイミング同期用信号とＰＮ発生器６０が発生する拡散符号とを切り換えて、信号発生部３０の拡散変調部３２に拡散符号として一方から出力する。そして、切換部７０はスイッチＳＷ１，ＳＷ２からなる。スイッチＳＷ１は、タイミング同期用信号発生部５０の出力とＰＮ発生器６０の出力を切り換えて、拡散変調器３２に出力する。スイッチＳＷ２は、タイミング同期用信号発生部５０の出力とＰＮ発生器６０の出力を切り換える。可変遅延回路８０は、切換部７０の他方（スイッチＳＷ２）からの信号を遅延し、測定部４０の拡散復調器４３に拡散符号を与える。
【００１９】
このような装置の動作を以下で説明する。スイッチＳＷ１，ＳＷ２をタイミング同期用信号発生部５０に接続する。そして、ベースバンド発振器３１は、情報に基づいて、ベースバンド信号を出力し、この信号を拡散変調器３２がタイミング同期用信号発生部５０のタイミング同期用信号により拡散変調を行う。しかし、タイミング同期用信号が、拡散変調が行われない符号なので、拡散変調器３２では実際には拡散変調が行われない。被試験対象２０は、拡散変調器３２からの信号が入力され、周波数変換器２１は局部発振器２２の信号により高周波信号に周波数変換し、測定部４０に出力する。
【００２０】
復調器４１が、周波数変換器２１の高周波信号を局部発振器２１により中間周波数に変換し、拡散復調器４３に出力する。拡散復調器４３は、可変遅延回路８０を介して、タイミング同期用信号発生部５０のタイミング同期用信号が入力され、周波数変換器２１からの信号を逆拡散し、ベースバンド復調部４４に出力する。そして、ベースバンド復調部４４は、拡散復調器４３の信号を復調し、情報を得る。
【００２１】
このとき、可変遅延回路８０の遅延量を調整し、ベースバンド発振器３１の情報とベースバンド復調部４４の情報とが一致するまで遅延量の調整を行う。
【００２２】
そして、スイッチＳＷ１，ＳＷ２をＰＮ発生器６０に接続する。そして、ベースバンド発振器３１は、情報に基づいて、ベースバンド信号を出力し、この信号を拡散変調器３２がＰＮ発生器６０の拡散符号により拡散変調を行う。被試験対象２０は、拡散変調器３２からの信号が入力され、周波数変換器２１は局部発振器２２の信号により高周波信号に周波数変換し、測定部４０に出力する。
【００２３】
復調器４１が、周波数変換器２１の高周波信号を局部発振器２１により中間周波数に変換し、拡散復調器４３に出力する。可変遅延回路８０が、スイッチＳＷ２を介して入力されるＰＮ発生器６０の拡散符号を遅延させて、拡散復調器４３に与える。この結果、拡散復調器４３では、同期捕捉されており、復調器４１からの信号を逆拡散して、ベースバンド復調部４４に出力する。そして、ベースバンド復調部４４で復調された情報により、被試験対象２０の良否の判定を行う。
【００２４】
このように、タイミング同期用信号発生部５０のタイミグ同期用信号を可変遅延回路８０で遅延させ、測定部４０を同期させたので、通常の拡散符号より、すぐに同期捕捉させることができる。そして、同期捕捉後、拡散符号による試験を行うので、試験時間を短縮することができる。
【００２５】
なお、本発明はこれに限定されるものではなく、被試験対象として、周波数変換器２１、局部発振器２２を示したが、復調器４１、局部発振器４２でもよい。この場合、周波数変換器２１、局部発振器２２は、信号発生部３０に含まれることになる。要するに、図２に示す装置において、ＰＮ発生器２，８以外の部分は被試験対象とすることができ、被試験対象以外の部分は、信号発生部、測定部となる。
【００２６】
【発明の効果】
本発明によれば、タイミング同期用信号発生部のタイミグ同期用信号を遅延回路で遅延させ、同期させたので、通常の拡散符号より、すぐに同期捕捉させることができる。そして、同期捕捉後、拡散符号による試験を行うので、試験時間を短縮することができる。
【図面の簡単な説明】
【図１】本発明の一実施例を示した構成図である。
【図２】スペクトラム拡散通信装置の原理構成を示した図である。
【符号の説明】
２０  被試験対象
３０  信号発生部
４０  測定部
５０  タイミング用信号発生器
６０  ＰＮ発生器
７０  切換部
８０  可変遅延回路
【図１】
0003674034.tif 000002
【図２】
0003674034.tif 000003